(57)【要約】【課題】  リモコン信号のフォーマット変更をせずに、連続動作の停止を指示するリモコンのキーオフ（操作部の連続操作の解除）の際に、リモコン信号受信装置が素早く連続動作を停止できるような応答性能を有し、かつリピート信号の取りこぼしによる動作停止を防止できるようにすること。【解決手段】  リモコンから所定の送信周期で継続するリピート信号を受信できなかった場合、所定の動作を一時停止させ、その後所定待機時間内にリモコンからリピート信号を受信しなかった場合は、動作を完全に停止させ、所定待機時間内にリピート信号を受信した場合は、前記動作の一時停止を解除して、一時停止以前の動作を再動作させる。【選択図】      図３
2005065032.tif 000002
【特許請求の範囲】
【請求項１】
所定の操作部が連続操作された場合に、まず該所定の操作部に対応した所定コード情報を送信し、これ以降該所定の操作部が操作解除されるまで前記所定コード情報を含まない連続操作を意味するリピート信号のみを所定の送信周期で送信する、リモートコントロール信号送信装置から送信されてくる信号を受信して、対応した動作を行うリモートコントロール信号受信装置の制御方法であって、
前記リモートコントロール信号送信装置から所定の送信周期で継続するリピート信号を受信できなかった場合、前記所定の操作部に対応した動作を一時停止させ、その後所定待機時間内に前記リモートコントロール信号送信装置からリピート信号を受信しなかった場合は、動作を完全に停止させるようにし、前記所定待機時間内にリピート信号を受信した場合は、前記動作の一時停止を解除し、該一時停止以前の動作を再動作させるようにしたことを特徴とするリモートコントロール信号受信装置の制御方法。
【請求項２】
請求項１記載のリモートコントロール信号の受信方法において、
前記所定待機時間は、前記リモートコントロール信号送信装置から連続出力されてくるリピート信号の送信周期よりも長いことを特徴とするリモートコントロール信号受信装置の制御方法。
【請求項３】
請求項１記載のリモートコントロール信号の受信方法において、
前記所定の操作部は前記リモートコントロール信号送信装置の所定のキーであり、前記連続操作は該キーの連続押下であることを特徴とするリモートコントロール信号受信装置の制御方法。
【請求項４】
所定の操作部が連続操作された場合に、まず該所定の操作部に対応した所定コード情報を送信し、これ以降該所定の操作部が操作解除されるまで前記所定コード情報を含まない連続操作を意味するリピート信号のみを所定の送信周期で送信する、リモートコントロール信号送信装置から送信されてくる信号を受信して、対応した動作を行うリモートコントロール信号受信装置であって、
前記リモートコントロール信号送信装置からの所定の送信周期によるリピート信号を受信しているか否かを監視する手段と、
所定の送信周期によるリピート信号を受信しなかった場合は、前記所定の操作部に対応した動作を一時停止させ、その後所定待機時間内に前記リモートコントロール信号送信装置からリピート信号を受信しなかった場合は、動作を完全に停止させるように制御し、前記所定待機時間内にリピート信号を受信した場合は、前記動作の一時停止を解除し、該一時停止以前の動作を再動作させるように制御する手段とを、
有することを特徴とするリモートコントロール信号受信装置。
【請求項５】
請求項４記載のリモートコントロール信号受信装置において、
前記所定待機時間は、前記リモートコントロール信号送信装置から連続出力されてくるリピート信号の送信周期よりも長いことを特徴とするリモートコントロール信号受信装置。
【発明の詳細な説明】
【技術分野】
【０００１】
本発明は、リモートコントロール信号送信装置（以下、リモコンと略記する）から送信された制御コード情報を含むリモートコントロール信号（以下、リモコン信号と略記する）を受信し、該制御コード情報に対応する動作を行う遠隔操作対象物であるリモートコントロール信号受信装置（以下、リモコン信号受信装置と略記する）およびその制御方法に係り、特に、リモコンの操作部（以下、これを代表してキーと称する）を連続して操作し続けた場合（キーの場合には連続して押し続けた場合）に、該キーに対応した所定の動作を連続して行わせるためにリモコンから所定周期で送信されてくるリピート信号を受信した際の、リモコン信号受信装置における制御技術に関するものである。
【背景技術】
【０００２】
リモコンは、操作者のキー操作に応じて（キーの押下に応じて）、操作されたキーに対応する制御コード情報を内部で生成して、この制御コード情報で例えば赤外線を変調したリモートコントロール信号を、発光回路からリモコン信号受信装置に送信する。一方、遠隔操作対象物であるリモコン信号受信装置は、リモコンから送信されてきたリモコン信号を受光回路で受信した後、リモコン信号に含まれる制御コード情報を対応する動作命令に変換し、この動作命令に応じた動作を行う。
【０００３】
従来、テレビ受像機やオーディオ装置に用いられる、リモコンから送信されるリモコン信号のフォーマットとしては、一般的に、例えば特許文献１の図８に示されたものが使用されている（便宜上、これを汎用フォーマットと称する）。このような汎用フォーマットを用いたリモコンのキーを、操作者が所望の期間連続的に押下し続けた場合には、リモコンは、特許文献１に示されているように、１回目に制御コード情報を含むリモコン信号を送信し、２回目以降は制御コード情報を含まない連続押下を意味するリピート信号のみをリモコン信号として、一定周期Ｔ１（約１００ｍｓ）でキーオフされるまで、繰り返し送信する。これを受けてリモコン信号受信装置は、入力操作されたキーに応じた動作を、キーが押し続けられている間続ける。
【０００４】
そして、押し続けられたキーが離されてリモコンがキーオフ状態になると、リモコンはリピート信号を送信するのを停止する。このとき、リモコン信号受信装置は、リモコンから送信されてくるリピート信号を１周期Ｔ１より長い所定時間（例えば１００ｍｓ＋α）受信しなかった場合、キーオフと認定し、キーに対応した連続動作を停止する。すなわち、リピート信号がなくなったことをソフト的に所定時間検知して、これによりリモコンのキーオフとして認定し、動作を停止するという処理を行う。ここで、キーオフ判定するのに、１周期（リピート信号の送信周期）Ｔより長い所定時間をとるのは、リモコン信号の光路を例えば人が横断すること等により、リモコン信号受信装置側でリモコン信号が一瞬途切れる意図しない中断があっても、連続動作が停止しないようにして、リモコンの操作性を向上させるためである。勿論、操作者の手ぶれにより、リモコンからのリモコン信号の送信方向がずれて、リモコン信号が一瞬途切れる場合もある。
【０００５】
また、連続動作中のリモコンキーオフを検知するための別の技術として、リモコンのキーオフ時に動作モードを停止する指令コードをリモコンより送信させて、リモコン信号受信装置の動作を、キーオフ後に直ちに停止させるようにした技術が、特許文献２に開示されている。
【特許文献１】特開平８−２８９１７０号公報
【特許文献２】特開平７−２３６１９０号公報
【発明の開示】
【発明が解決しようとする課題】
【０００６】
上記したように、テレビ受像機、オーディオ装置、家庭用製品、電子機器、機械等に採用されるリモコンの前記汎用フォーマットを用いたシステムにおいては、リピート信号の取りこぼしに起因する「意図しない動作停止」を防止するため、前記キーオフ判定のための所定時間であるキーオフ認定待機時間Ｗが設けられている。しかし、このキーオフ認定待機時間Ｗを設けることによって、意図しない動作停止を防止できるものの、リモコンのキーオフから、リモコン信号受信装置側でリモコンのキーオフ情報が認定され動作を停止するまでに時間がかかり、従って、操作者が意図的にリモコン操作を止めたい際にも、リモコン信号受信装置の動作停止の応答性能を鈍化させるという問題があった。つまり例えば、リモコンで音量アップをしているときに、音量が所定の大きさになったので、キーを離しても、直ちに停止せず、１ステップか２ステップ音量がさらに大きなって停止するという不具合が生じるという問題があつた。
【０００７】
この対処手法として、例えば、連続入力の際のリピート信号の送信周期Ｔ１を短くし、これに伴って、リモコン信号受信装置側でのリモコンのキーオフ認定待機期間Ｗも短くして、これにより従来よりも動作停止の応答性の向上を図ることも考えられる。しかしながら、このような手法を採ると、リモコン側とリモコン信号受信装置側の双方のソフト的、電気的変更が必要である。また、リモコン信号の送信周期等が変わるリモコン信号フォーマットの変更に伴い、従来のリモートコントロールシステムと新リモートコントロールシステムとの間の、リモコンの互換性がとれなくなってしまうという問題が生じる。
【０００８】
また、前記特許文献２に開示されているような、リモコンのキーオフ時に動作モードを停止するキーオフコードを送信させて、リモコン信号受信装置の動作を直ちに停止させるようにした場合は、リモコン信号受信装置のキーオフ応答性能を確保することはできるが、従来のリモートコントロールシステムとの間で互換性が取れなくなってしまうという問題がある。さらに、リモコンとリモコン信号受信装置の双方のソフト的、電気的変更が必要となる。
【０００９】
本発明は上記した従来技術のもつ問題点を解消するためになされたものであり、その目的とするところは、リモコン信号のフォーマット変更をせずに、連続動作の停止を指示するキーオフの際に、リモコン信号受信装置が素早く連続動作を停止できるような応答性能を有し、かつ、リピート信号の取りこぼしによる動作停止を防止できるようにすることにある。
【課題を解決するための手段】
【００１０】
本発明は上記した目的を達成するために、所定のキーなどの所定の操作部を連続操作した場合に、まず該所定の操作部に対応した所定コード情報を送信し、これ以降該所定の操作部が操作解除されるまで前記所定コード情報を含まない連続操作を意味するリピート信号のみを所定の送信周期で送信する、リモコンから送信されてくる信号を受信して、対応した動作を行うリモコン信号受信装置において、
リモコンから所定の送信周期で継続するリピート信号を受信できなかった場合、前記所定の操作部に対応した動作を一時停止させ、その後所定待機時間内にリモコンからリピート信号を受信しなかった場合は、動作を完全に停止させるようにし、前記所定待機時間内にリピート信号を受信した場合は、前記動作の一時停止を解除して、該一時停止以前の動作を再動作させるようにする。
【００１１】
このように、本発明では、所定の送信周期が経過してもリピート信号を受信できなかった場合には、リモコン信号受信装置は直ちに動作を一時停止させ、その後、前記所定待機時間内に再びリピート信号を受信できれば、再び一時停止した動作を再開し、そうでなければ、動作の一時停止を完全停止とすることにより、意図しないリモコン信号の受信中断による動作停止を防ぎながら、操作者の意図した停止指示には即応することができる。なお、本発明は、リモコン信号受信装置におけるリモコン信号に応じた装置の制御技術に関するものであって、リモコンに対しては何らの変更を与えないので、従来のリモコンとの互換性を有するリモートコントロールシステムとして構築できる。
【発明の効果】
【００１２】
本発明によれば、一般的なリモコン信号受信装置の課題であった、操作部（例えばキー）を連続操作した際におけるリモコン側の操作解除（例えばキーオフ）に対する、素早い応答が実現可能となり、かつ、従来のリピート信号の取りこぼしに対する誤動作防止機能を維持することができ、さらに、リモコン信号のフォーマット変更を行う必要もないので、従来のリモコンをそのまま採用することができる。
【発明を実施するための最良の形態】
【００１３】
以下、本発明の実施の形態を、図面を用いて説明する。
【実施例１】
【００１４】
図１〜図５は本発明の１実施例によるリモコン信号受信装置を含むシステムに係り、各図において、共通な機能を有する部分には同一符号を付し、一度述べたものについては、その繰り返した説明を省略する。
【００１５】
図１は、本発明の１実施例に係るリモコン信号受信装置を含んだリモートコントロールシステムの構成を示す図である。図１に示したように、本リモートコントロールシステムは、リモコン１と、このリモコン１から赤外線などを利用して送信されるリモコン信号６を受信して、動作を行うリモコン信号受信装置１０とからなっている。
【００１６】
まず、リモコン１とリモコン信号受信装置１０の構成について説明する。リモコン１は、リモコン信号受信装置１０の表示装置１４上のポインタ１５を操作する際に入力する方向キー２と、操作者が入力操作するキーに対応した制御コード情報に置換する変換テーブルを格納したメモリ４と、この変換テーブルによって生成された制御コード情報を電気的なパルス信号に変換して出力ポートから出力するマイコン３と、この電気的なパルス信号で内蔵する赤外線発光ダイオード（図示せず）を変調してリモートコントロール信号を送信する発光回路５とから構成される。なお、メモリ４は通常マイコン３に内蔵されている。なおまた、リモコン１には方向キー２のみを図示したが、他のキー群が配置されていることは言うまでもない。
【００１７】
リモコン信号受信装置１０は、リモコン１から送信されたリモコン信号６を受信する赤外線受光ＩＣからなる受光回路１１と、リモコン信号に含まれる制御コード情報を対応した動作命令に変換する変換テーブルやソフトウェアを実装したマイコン１２と、マイコン１２によって変換され得られた動作命令によって挙動を制御される表示装置１４とを、含んで構成される。なお、変換テーブルはメモリ１３に、ソフトウェアはＲＯＭ（図示せず）に格納されている。また、メモリ１３は通常マイコン１２に内蔵されている。
【００１８】
本実施例では、便宜上リモコン１の連続動作を指示するキーを、例えば方向キー２とし、方向キー２を押し続けることで、表示装置１４の画面上のポインタ１５を連続的に移動させるものとして、以下の説明を行うが、本発明での連続動作を指示するキーは、特にこれに限定されるものではないことは言うまでもない。例えば、連続動作を指示するキーである音量ＵＰ／ＤＯＷＮキーであってもよい。この場合には、表示装置１４の画面上には、音量位置をアナログ的に表示するバー表示やデジタル的に表示する数値が表示されることになる。
【００１９】
表示装置１４は、ブラウン管、液晶、プラズマ等を利用した表示機器であり、ここでは、マイコン１２で制御コード情報から変換、生成された動作命令（ここでは、表示データ）に基づき、画面上でポインタ１５を移動させる。この画面上のポインタ１５の移動は、リモコン１上の方向キー２の操作（押下）に対応するものであり、ポインタ１５は、操作者のキー押下に応じて画面上を移動して表示されるマークである。このポインタ１５の具体的な使用用途としては、例えば、テレビ受像機のメニューの選択画面における選択位置の指示や、インターネット対応テレビ受像機上でのインターネット操作の際にユーザが操作するフリーカーソル等が挙げられる。フリーカーソル操作とは、パソコン画面上のカーソルをマウスで操作するような操作のことである。
【００２０】
本リモートコントロールシステムにおいては、操作者がリモコン１上の方向キー２を押す、または、押し続けることによって、表示装置１４上のポインタ１５を、マイコン１２を通して意図通りに動かしたり、方向キー２から手指等を離すことことによって、ポインタ１５の移動を停止させることができるようになっている。方向キー２の連続入力処理開始から、方向キー２のキーオフを認定し、表示装置１４上のポインタ１５の移動動作を停止させるまでの処理を、図を用いて詳細に説明する。
【００２１】
まず最初に、リモートコントロールシステムの連続動作について説明する。図２はリモートコントロールシステムの動作を示すタイミングチャート、図３はリモコン信号受信装置１０の処理フローを示すフローチャートである。
【００２２】
図２の（ａ）に示すように、操作者がリモコン１の方向キー２を押してＯＮ（２０）にすると、図２の（ｂ）に示すように、リモコン１はその発光回路５から最初に方向キー２に対応した制御コード情報を含んだリモコン信号３０を送信し、これを受けてリモコン信号受信装置１０では、図２の（ｃ）に示したように、受信したリモコン信号４０に含まれた制御コード情報によりマイコン１２が表示装置１４に指令を送り、図２の（ｄ）に示すように、方向キー２に対応した方向にポインタ１５の移動を開始（５０）する。いま、図２の（ａ）に示すように、リモコン１の方向キー２を押し続けると（連続ＯＮ；２１）、リモコン１からは、図２の（ｂ）に示すように、制御コード情報を含まない連続押下を意味するリピート信号のみからなるリモコン信号３１ａ，３１ｂ，３１ｃ，３１ｄ，…が、繰り返し送信される。なお、以下の説明では便宜上、制御コード情報を含んだリモコン信号を単に制御コード情報と称し、リピート信号のみからなるリモコン信号を単にリピート信号と称す。上記の制御コード情報３０、リピート信号３１の送信周期は、図２の（ｂ）に示したように、Ｔ１である。
【００２３】
リモコン信号受信装置１０では、受信したリピート信号４１ａ，４１ｂ，４１ｃ，４１ｄ，…により、マイコン１２がポインタ１５の連続移動を指示する指令を表示装置１４に出力し、これにより、図２の（ｄ）に示したように、ポインタ１５は連続動作５１（方向キー２に対応した方向に連続移動）を行う。
【００２４】
以上のリモコン信号受信装置１０の処理動作を、図３の処理フローで示すと、リモコン１上の方向キー２が押し続けられている間は、リピート信号３１が周期（送信周期）Ｔ１で出力され続ける状態となり、図３の連続入力処理ステップＳ１００に入る。ここで、リピート信号を受信してからの経過時間をｔｍとする。まず、ステップＳ１０１でｔｍ＝０とし、次に、ステップＳ１１０で経過時間ｔｍがＴ１未満であるか否かをチェックし、ｔｍがＴ１未満であれば（ステップＳ１１０でＹＥＳであれば）、ステップＳ１０２に進んで、経過時間ｔｍに所定のサンプリング時間Δｔを加算した後、ステップＳ１１０に戻って再び経過時間をチェックする。このようにして、前のリピート信号を受信してから周期Ｔ１が経過するまでは、ステップＳ１１０とステップＳ１０２を繰り返す。経過時間ｔｍが周期Ｔ１に達すると、すなわちリピート信号４１を受信してから周期Ｔ１を経過すると（ステップＳ１１０でＮＯとなると）、ステップＳ１２０に進んで、次のリピート信号４１があるかどうかを判定する。ここで、方向キー２は押し続けられているため、次のリピート信号は受信されるので、連続入力が継続していると判定され、ステップＳ１２１に進んで、表示装置１４上のポインタ１５は前回と同じ方向に移動動作を継続し、この後、ステップＳ１２２で経過時間ｔｍをｔｍ＝０として、再びステップＳ１１０に戻る。この動作は方向キー２を押し続けている間、繰り返される。
【００２５】
次に、リモコン１の方向キー２を押し続けた状態（連続ＯＮ）から、方向キー２を押すのを止めてキーオフにした場合の、リモコン信号受信装置１０の動作について説明する。
【００２６】
図４は、リモコン１をキーオフしたときの本リモートコントロールシステムの動作のタイミングチャートである。図４の（ａ）に示したように、リモコン１の方向キー２を連続ＯＮ（２１）の状態からＯＦＦ（２２）にした場合、図４の（ｂ）に示すように、リモコン１は、その時点で次のリピート信号３１ｉ＋１の送信を止める。このとき、リモコン信号受信装置１０は、図４の（ｃ）に示すように、リピート信号４１ｉを受信して、そのＴ１後にリピート信号３１ｉ＋１がないことを確認することで、リモコン１のキーオフを検出し、キーオフの仮認定とし、図４の（ｄ）に示すように、ポインタ１５の動作をＯＦＦ（５２）し、一時停止状態（５３）とする。その後も、待機期間（所定待機時間）Ｗの間はリピート信号３１の受信を監視し続け、待機期間Ｗの間にリピート信号３１の受信がない場合は、キーオフの正式認定とし、ポインタ１５の動作を完全停止状態（５４）にする。
【００２７】
以上のリモコン信号受信装置１０の処理を、図３のフローで示すと、リモコン１の方向キー２を押し続けている間（２１）は、図２に示し上述した連続ＯＮの際と同様に、ステップＳ１０２、Ｓ１１０、Ｓ１２０、Ｓ１２１、Ｓ１２２の処理を繰り返す。この状態から、いま方向キー２をＯＦＦ（２２）にすると、経過時間ｔｍがＴ１になりステップＳ１２０に進んだ時点で、リピート信号４１の受信がないためステップＳ１３０に進む。ステップＳ１３０ではｔｍ＝Ｔ１であるか否かを判定し、ここではｔｍ＝Ｔ１であるため、ステップＳ１３１に進んでキーオフ仮認定とし、次にステップＳ１３２でポインタ１５の動作を一時停止させた後、ステップＳ１０２に進んでｔｍにΔｔを加え、ステップＳ１１０に戻る。ここで、ｔｍはステップＳ１０２においてΔｔを加えたため、ｔｍ＞Ｔ１となり、この結果、ステップＳ１２０、Ｓ１３０から、ステップＳ１４０へと進む。ステップＳ１４０では、ｔｍがＴ２（Ｔ２＝Ｔ１＋Ｗ）以上になったか否かを判定し、ｔｍ＜Ｔ２の場合（ステップＳ１４０でＮＯの場合）には、ステップＳ１０２に進んでｔｍにΔｔを加えて、ステップＳ１１０に戻る。この動作をｔｍがＴ２になるまで繰り返し、ｔｍ≧Ｔ２となった時点（ステップＳ１４０でＹＥＳとなった時点）で、ステップＳ１４１に進んでキーオフ正式認定として、ポインタ１５の動作を完全停止させ、連続入力処理を終了する（ステップＳ２００）。
【００２８】
なお、上記のＴ２は、各リモートコントロールシステムによって異なる値であり、特に、採用しているリモコン信号のフォーマットや、ソフトウェア上の内部制御の実行周期等に大きく影響される。よって、Ｔ２の値は、本発明を採用するリモートコントロールシステムにそれぞれ応じた好適値を設定することが望まれる。例えば、本実施例では１例として、Ｔ１＝１０８ｍｓのとき、Ｔ２はＴ１の２倍強の値に設定され、Ｗ＞Ｔ１となるように設定されている。
【００２９】
次に、リモコン１の方向キー２を押し続けている状態で、連続送信されているリピート信号３１がなんらかの事情によって正常受信できなかった場合の、リモコン信号受信装置１０の動作について説明する。
【００３０】
図５は、リモコン１から送信されるリピート信号をリモコン信号受信装置側で取りこぼした場合の、リモートコントロールシステムの動作のタイミングチャートである。図５の（ａ）は、図２に示し上述した連続ＯＮの際と同様に、リモコン１の方向キー２を押し続けている（連続ＯＮ；２１）状態であり、このときには、リモコン１からはリピート信号３１がＴ１の送信周期で連続送信されている（図５の（ｂ））。このリピート信号３１の連続出力中に、例えば操作者の手元のぶれによって一瞬リモコン１の指示方向がリモコン信号受信装置１０のリモコン信号受信部から外れてしまった場合には、図５の（ｃ）に示すように、リモコン信号受信装置１０はリピート信号３１ｉ＋１を受信することができず、リピート信号がなくなったと検知する。これによって、キーオフの認定処理が開始され、図４に示して上述した動作と同様に、リピート信号４１ｉを受信後にＴ１を経過した時点で、画面上のポインタ１５の移動を一時停止（５２）させる。以降、待機期間Ｗに入り、キーオフの正式認定を待つ状態となり、ポインタ１５も一時停止状態（５３）を続ける。しかし、この場合には、操作者はリモコン１の方向キー２を押し続けているため、リモコン１からはリピート信号３１ｉ＋２が送信され続けていて、リモコン信号受信装置１０は、リピート信号３１ｉ＋１は取りこぼしたものの、リピート信号３１ｉ＋２は正常に受信する（図５の（ｃ））。このとき、リモコン信号受信装置１０は待機期間Ｗ中であり、まだリモコン１のキーオフを正式認定していない状態にある。そのため、リピート信号４１ｉ＋２の再受信によって、仮認定期間中であったリモコン信号受信装置１０は、一時停止していたポインタ１５の移動を再開（５５）させる指令を表示装置１４に送る。これにより、画面上のポインタ１５は一時停止前と同様の移動を、引き続き行う（図５の（ｄ）の５６）。
【００３１】
以上のリモコン信号受信装置１０の処理を図３のフローで示すと、リピート信号の連続受信をしている間は、ステップＳ１０２、Ｓ１１０、Ｓ１２０、Ｓ１２１、Ｓ１２２の処理を繰り返しており、リモコン信号受信装置１０のリピート信号３１ｉ＋１の取りこぼしによって、ステップＳ１２０でリピート信号の受信無しと判定すると、リモコンのキーオフの判定（検知）を行うため、ステップＳ１３０、Ｓ１３１、Ｓ１３２の処理へと進む。その後、待機期間Ｗ中は、ステップＳ１０２、Ｓ１１０、Ｓ１２０、Ｓ１３０、Ｓ１４０を繰り返すが、この間に次のリピート信号３１ｉ＋２を受信した場合には、ステップＳ１２０でリピート信号の受信有と判定するので、ステップＳ１２１へと進み、これにより、一時停止していたポインタ１５の移動を再開させる。その後は、リピート信号の受信がある限り、ステップＳ１０２、Ｓ１１０、Ｓ１２０、Ｓｌ２１、Ｓ１２２を繰り返す。
【００３２】
上述してきたリモコンのキーオフ検知処理は、連続入力時（キーの連続押下時）にリピート信号が周期的に送信されることを利用して行っているため、待機期間（待機時間）Ｗは、少なくともリモコン１から送信されてくるリピート信号の送信周期Ｔ１よりも長い時間を設定する必要がある。また、この待機期間Ｗを備えていない場合は、誤操作によるリピート信号の取りこぼしによって、ポインタ１５の動作がユーザの意図に反して停止してしまう危険性を有していると言える。
【００３３】
前述した従来のリモートコントロールシステムのように、待機期間Ｗの間もポインタ１５の動作を継続している場合は、操作者がポインタ１５を停止させたい位置よりも、遥かに行き過ぎた位置で停止してしまうが、これに対し、本実施例においては、リモコン１の方向キー２を離したタイミングで、ポインタ１５を直ちに停止させることができる。また、リモコン信号受信装置１０が何らかの事情でリピート信号の受信を取りこぼした場合においても、リピート信号が再受信された時点で動作を再開できるため、意図しない動作停止を防ぐことができる。
【００３４】
また、本発明は、リモコンは従来のものをそのまま流用して、リモコン信号受信装置１０側のソフトウェアのみを変更することで実現できるため、従来のリモコンとの互換性を保つことができ、コスト的な負担も非常に少なくて済む。
【産業上の利用可能性】
【００３５】
なお、以上に述べた本発明の実施例では、連続操作キーとして、４方向の方向キー２を用いて説明したが、本発明はこれに限定されるものではなく、方向キー２が４方向以上のもの、またその形態がジョイスティック、タッチセンサー等の他のデバイスを備えているものに対しても適用できる。また、リモコンも一般的なボタン式の形態のものだけでなく、ボタン（キー）が液晶パネルなどの表示デバイス上に表示されるタッチパネル式のソフトウェアリモコンにも適用することができる（この場合には、タッチパネルの所定のキーを連続的にタッチすることが、連続操作に相当する）。また、リモコン上のキーも前記実施例で説明した方向キーに限らず、例えば、家庭用ＡＶ機器製品における音量ＵＰ／ＤＯＷＮキーなどの他の連続入力動作に対応する、他のリモコン上の操作キーにも適用可能である。
【００３６】
また、リモコンの連続入力操作用の操作部としては、キー以外にも、所定の操作量でオン操作され、操作解除でオフ位置に自動復帰する、例えばレバースイッチやプルスイッチなどの他の操作部であっても、本発明は適用可能である。
【００３７】
また、以上に述べた本発明の実施例では、リモコン信号受信装置として表示装置を備えた装置を例にとったが、遠隔操作対象物としての本発明のリモコン信号受信装置は、これに限定されるものではなく、例えば、模型自動車、模型飛行機、ロボットのような機械装置にも、本発明は適用可能である。
【００３８】
また、本発明の適用は、前記したリモコンの汎用フォーマットに限定されるものではなく、他種のリモコンフォーマットにも適用可能であり、例えば、連続入力時のリモコン信号の送信周期の短いまたは長いフォーマットにも適用可能であり、この場合にも、以上に述べた実施例と同様の効果を奏することができる。
【図面の簡単な説明】
【００３９】
【図１】本発明の実施例１に係るリモートコントロール信号受信装置を含むリモートコントロールシステムの説明図である。
【図２】図１のリモートコントロールシステムの動作の第１例を示すタイミングチャートである。
【図３】発明の実施例１に係るリモートコントロール信号受信装置における、処理フロー例を示すフローチャートである。
【図４】図１のリモートコントロールシステムの動作の第２例を示すタイミングチャートである。
【図５】図１のリモートコントロールシステムの動作の第３例を示すタイミングチャートである。
【符号の説明】
【００４０】
１  リモコン（リモートコントロール信号送信装置）
２  方向キー
３  マイコン
４  メモリ
５  発光回路
６  リモコン信号（リモートコントロール信号）
１０  リモコン信号受信装置（リモートコントロール信号受信装置）
１１  受光回路
１２  マイコン
１３  メモリ
１４  表示装置
１５  ポインタ
【図１】
2005065032.tif 000003
【図２】
2005065032.tif 000004
【図３】
2005065032.tif 000005
【図４】
2005065032.tif 000006
【図５】
2005065032.tif 000007